(57)【要約】【課題】  上下顎歯列の構築において、瞳孔線や正中線などの審美性基準の導入を容易にすることにより、補綴物や義歯を製作するに際してより確実なものとする。【解決手段】  顔面の瞳孔線と正中線の少なくともいずれかを、下顎運動を再現させる咬合器上に表示させるために記録する装置において、口腔内に挿入するバイトフォーク本体と、該バイトフォーク本体に設けたアームとによって構成したものであって、瞳孔線記録具を回動可能に支持した瞳孔線記録装置と、正中線記録具を回動可能に支持した正中線線記録装置の少なくともいずれかを、該アームに設ける。【選択図】        図１
2005095500.tif 000002
【特許請求の範囲】
【請求項１】
顔面の瞳孔線と正中線の少なくともいずれかを、下顎運動を再現させる咬合器上に表示させるために記録する装置において、口腔内に挿入するバイトフォーク本体と、該バイトフォーク本体に設けたアームとによって構成したものであって、瞳孔線記録具を回動可能に支持した瞳孔線記録装置と、正中線記録具を回動可能に支持した正中線線記録装置の少なくともいずれかを、該アームに設けたことを特徴とするバイトフォーク。
【請求項２】
瞳孔線記録装置と正中線記録装置の少なくともいずれかは、咬合器のトランスファージグへの取付部を有するものである請求項１記載バイトフォーク。
【請求項３】
瞳孔線記録装置と正中線記録装置の少なくともいずれかは、咬合器の上下弓フレーム間の中点を表示する中点表示部を設けたものである請求項２記載バイトフォーク。
【請求項４】
口腔内に挿入するバイトフォーク本体と、該バイトフォーク本体に設けたアームとによって構成したものであって、該バイトフォーク本体の両側方に、仮想咬合平面記録具を設けたことを特徴とするバイトフォーク。
【請求項５】
仮想咬合平面記録具は、調整可能に設けたものである請求項４記載のバイトフォーク。
【請求項６】
仮想咬合平面記録具に、後方基準点指示具を設けたものである請求項４又は５記載のバイトフォーク。
【請求項７】
口腔内に挿入するバイトフォーク本体と、該バイトフォーク本体に設けたアームとによって構成したものであって、該バイトフォーク本体側方において回動可能に支持する切歯点−下顎頭間計測装置の取付部を設けると共に、該切歯点−下顎頭間計測装置に設けた目盛りに対応させた対応目盛りをアームに設けことを特徴とするバイトフォーク。
【請求項８】
下顎運動を再現させる咬合器に上顎模型をマウントするフェイス・ボウ・トランスファーに用いるものであって、瞳孔線記録具を回動可能に支持した瞳孔線記録装置と、正中線記録具を回動可能に支持した正中線線記録装置の、少なくともいずれかを設けたバイトフォークのアームを、トランスファーピンに連結したことを特徴とするフェイス・ボウ。
【請求項９】
本体両側に仮想咬合平面記録具を備えたものである請求項８記載のフェイス・ボウ。
【請求項１０】
顔面の瞳孔線を、下顎運動を再現させる咬合器上に表示させる方法であって、バイトフォークのアームに瞳孔線記録装置を設けたバイトフォーク本体を、口腔内に挿入した状態で、該瞳孔線記録装置に瞳孔線を記録した後、咬合器にマウントした上顎歯列模型に該バイトフォーク本体を合わせ、該瞳孔線記録装置で記録した瞳孔線を、該咬合器に設けたアイポインツパラレルチェッカーに再現させることを特徴とする審美基準表示方法。
【請求項１１】
アイポインツパラレルチェッカーは、咬合器のインサイザルポールに設けたものである請求項１０記載の審美基準表示方法。
【請求項１２】
アイポインツパラレルチェッカーは、咬合器にセットした咬合分析装置に設けたものである請求項１０記載の審美基準表示方法。
【請求項１３】
顔面の正中線を、下顎運動を再現させる咬合器上に表示させる方法であって、バイトフォークのアームに正中線記録装置を設けたバイトフォーク本体を、口腔内に挿入した状態で、顔面の正中線を該正中線記録装置に記録した後、該バイトフォーク本体に上顎歯列模型を載置した状態で、該正中線記録装置の正中線記録具に基づいて該上顎歯列模型の前面にマーキングすることを特徴とする審美基準表示方法。
【請求項１４】
上顎歯列模型への正中線のマーキングは、正中線記録具に正中線印記具を装着して行うものである請求項１３記載の審美基準表示方法。
【請求項１５】
フェイス・ボウ・トランスファーにより顎関節と上顎の位置関係、及びフェイス・ボウのトランスファーピンに連結したバイトフォークに設けた瞳孔線記録装置で瞳孔線を記録した後、該トランスファーピンを咬合器にセットし、該咬合器に設けたアイポインツパラレルチェッカーに再現させることを特徴とする審美基準表示方法。
【請求項１６】
フェイス・ボウ・トランスファーにより顎関節と上顎の位置関係、及びフェイス・ボウのトランスファーピンに連結したバイトフォークに設けた正中線記録装置で正中線を記録した後、該トランスファーピンを咬合器にセットし、該バイトフォーク本体に上顎歯列模型を載置した状態で、該正中線記録装置の正中線記録具に基づいて該上顎歯列模型の前面にマーキングすることを特徴とする審美基準表示方法。
【請求項１７】
フェイス・ボウは仮想咬合平面記録具を有するもので、該フェイス・ボウを咬合器にセットし、該仮想咬合平面記録具で記録した仮想咬合平面を、該咬合器に取り付けた咬合分析装置の歯列模型調整板に再現させる請求項１５又は１６記載の審美基準表示方法。
【請求項１８】
上顎歯列模型をボンウィルの三角に基づいて咬合器に取り付ける方法であって、バイトフォークのアームに瞳孔線記録装置と正中線記録装置の少なくともいずれかを設けたバイトフォーク本体を、口腔内に挿入した状態で、該瞳孔線記録装置と該正中線記録装置に瞳孔線と正中線の少なくともいずれかを記録した後、該瞳孔線記録装置と該正中線記録装置のいずれかを咬合器に設けたトランスファージグに取り付け、バイトフォークのアームを移動させて調整することを特徴とする上顎歯列模型のマウント方法。
【請求項１９】
上顎歯列模型をボンウィルの三角に基づいて咬合器に取り付ける方法であって、バイトフォークのアームに瞳孔線記録装置と正中線記録装置の少なくともいずれかを設けたバイトフォーク本体を、口腔内に挿入した状態で、該瞳孔線記録装置と該正中線記録装置に瞳孔線と正中線の少なくともいずれかを記録した後、該瞳孔線記録装置と該正中線記録装置のいずれかを、咬合器に設けたトランスファージグに穿設した複数の孔の内、ボンウィルの三角に準じた孔に挿入して取り付けることを特徴とする上顎歯列模型のマウント方法。
【請求項２０】
瞳孔線記録装置と正中線記録装置のいずれかに設けた、咬合器の上下弓フレーム間の中点を表示する中点表示部と、バイトフォークに設けた切歯点−下顎頭間計測装置で計測した目盛りに対応させたもので、瞳孔線記録装置と正中線記録装置のいずれかのトランスファージグへの取り付け位置からボンウィルの三角に準じたバイトフォークのアームに付した対応目盛りとによって行うものである請求項１８又は１９記載の上顎歯列模型のマウント方法。
【請求項２１】
口腔内の診断や治療を行う場合に用いるものであって、歯牙に固定する粘着部材を設ける谷部を備えたＶ字形支持具に、ミラーを角度調節可能に設けたことを特徴とする歯牙取付用ミラー。
【請求項２２】
支持具を歯牙に取り付け、該支持具に角度調節可能に設けたミラーを口腔内に位置させて行うことを特徴とする口腔内の診断若しくは治療方法。
【発明の詳細な説明】
【技術分野】
【０００１】
本発明は、歯列模型を咬合器へ装着するに際し、口腔内と顔貌の位置関係を再現するための装置及びその方法に関するものである。
【背景技術】
【０００２】
有歯顎、無歯顎を問わず補綴物を間接的に製作したり、口腔内の診断、治療計画を立てる場合に咬合器が用いられている。咬合器は、ヒトの頭蓋の下半分の動きを機械的に再現するための器械であり、上下顎歯列模型を生体と同じ位置関係に固定して下顎運動を再現させることができる。
【０００３】
このため、咬合器には口腔内と同じ位置関係で上顎歯列模型を装着する必要があり、フェイス・ボウ・トランスファーを行うことが必要不可欠な作業となる。フェイス・ボウ・トランスファーには、ヒンジボウとシンプルボウがあり、日常の臨床においてはシンプルボウが広く利用されている。シンプルボウは、生体の左右の顎関節と上顎の歯列、又はろう堤を用いて上顎の顎堤の位置関係を計測するもので、これを咬合器にセットすることで、該咬合器上に口腔内と同じ位置関係で上顎の歯列模型をマウントする器具である。一般的にフェイス・ボウといわれているものは、顔弓（メジャー・ボウ）、バイトフォーク、バイトフォークとメジャー・ボウを連結する棒（トランスファーピン）で構成される。通常、顔弓には前方基準点と後方基準点を示す器具が設けられている。
【０００４】
シンプルボウ等を用いたフェイス・ボウ・トランスファーにより、顔面に設定した前方基準点と後方基準点より上顎の立体的な位置関係を咬合器上に再現することができ、術式も容易となる。
【特許文献１】特開平１０−２９５７０７号
【発明の開示】
【発明が解決しようとする課題】
【０００５】
上下顎歯列の構築にあたっては、咬合も肝要であるが、審美性が重要な役割を果たすことが知られている。ところが、従来ではシンプルボウ等を用いるフェイス・ボウ・トランスファーを利用することなく治療や診断を行う場合が多く、審美性についてはほとんど考慮されていないのが実状であった。これは、フェイス・ボウを用いることにかなりの手間と時間を要することや、取り扱いが難しいのが原因であると考えられている。
【０００６】
従って、大部分の人が瞳孔線と前歯部が平行となっていない状況において、正中が微妙にずれたり咬合平面が傾くという、審美性を無視して補綴物や義歯を製作することになり、種々のトラブルが生じる原因となっていた。
【課題を解決するための手段】
【０００７】
そこで本発明者は上記問題に鑑み鋭意研究の結果、本発明を成し得たものであり、その特徴とするところは、物の発明にあっては、顔面の瞳孔線と正中線の少なくともいずれかを、下顎運動を再現させる咬合器上に表示させるために記録する装置において、口腔内に挿入するバイトフォーク本体と、該バイトフォーク本体に設けたアームとによって構成したものであって、瞳孔線記録具を回動可能に支持した瞳孔線記録装置と、正中線記録具を回動可能に支持した正中線線記録装置の少なくともいずれかを、該アームに設けたことを特徴とするバイトフォーク。
【０００８】
或いは、口腔内に挿入するバイトフォーク本体と、該バイトフォーク本体に設けたアームとによって構成したものであって、該バイトフォーク本体の両側方に、仮想咬合平面記録具を設けたことを特徴とするバイトフォーク。
【０００９】
或いは、口腔内に挿入するバイトフォーク本体と、該バイトフォーク本体に設けたアームとによって構成したものであって、該バイトフォーク本体側方において回動可能に支持する切歯点−下顎頭間計測装置の取付部を設けると共に、該切歯点−下顎頭間計測装置に設けた目盛りに対応させた対応目盛りをアームに設けことを特徴とするバイトフォーク。
【００１０】
或いは、下顎運動を再現させる咬合器に上顎模型をマウントするフェイス・ボウ・トランスファーに用いるものであって、瞳孔線記録具を回動可能に支持した瞳孔線記録装置と、正中線記録具を回動可能に支持した正中線線記録装置の、少なくともいずれかを設けたバイトフォークのアームを、トランスファーピンに連結したことを特徴とするフェイス・ボウ。
【００１１】
或いは、口腔内の診断や治療を行う場合に用いるものであって、歯牙に固定する粘着部材を設ける谷部を備えたＶ字形支持具に、ミラーを角度調節可能に設けたことを特徴とする歯牙取付用ミラー。
【００１２】
方法の発明にあっては、顔面の瞳孔線を、下顎運動を再現させる咬合器上に表示させる方法であって、バイトフォークのアームに瞳孔線記録装置を設けたバイトフォーク本体を、口腔内に挿入した状態で、該瞳孔線記録装置に瞳孔線を記録した後、咬合器にマウントした上顎歯列模型に該バイトフォーク本体を合わせ、該瞳孔線記録装置で記録した瞳孔線を、該咬合器に設けたアイポインツパラレルチェッカーに再現させることを特徴とする審美基準表示方法。
【００１３】
或いは、顔面の正中線を、下顎運動を再現させる咬合器上に表示させる方法であって、バイトフォークのアームに正中線記録装置を設けたバイトフォーク本体を、口腔内に挿入した状態で、顔面の正中線を該正中線記録装置に記録した後、該バイトフォーク本体に上顎歯列模型を載置した状態で、該正中線記録装置の正中線記録具に基づいて該上顎歯列模型の前面にマーキングすることを特徴とする審美基準表示方法。
【００１４】
或いは、フェイス・ボウ・トランスファーにより顎関節と上顎の位置関係、及びフェイス・ボウのトランスファーピンに連結したバイトフォークに設けた瞳孔線記録装置で瞳孔線を記録した後、該トランスファーピンを咬合器にセットし、該咬合器に設けたアイポインツパラレルチェッカーに再現させることを特徴とする審美基準表示方法。
【００１５】
或いは、フェイス・ボウ・トランスファーにより顎関節と上顎の位置関係、及びフェイス・ボウのトランスファーピンに連結したバイトフォークに設けた正中線記録装置で正中線を記録した後、該トランスファーピンを咬合器にセットし、該バイトフォーク本体に上顎歯列模型を載置した状態で、該正中線記録装置の正中線記録具に基づいて該上顎歯列模型の前面にマーキングすることを特徴とする審美基準表示方法。
【００１６】
或いは、上顎歯列模型をボンウィルの三角に基づいて咬合器に取り付ける方法であって、バイトフォークのアームに瞳孔線記録装置と正中線記録装置の少なくともいずれかを設けたバイトフォーク本体を、口腔内に挿入した状態で、該瞳孔線記録装置と該正中線記録装置に瞳孔線と正中線の少なくともいずれかを記録した後、該瞳孔線記録装置と該正中線記録装置のいずれかを咬合器に設けたトランスファージグに取り付け、バイトフォークのアームを移動させて調整することを特徴とする上顎歯列模型のマウント方法。
【００１７】
或いは、上顎歯列模型をボンウィルの三角に基づいて咬合器に取り付ける方法であって、バイトフォークのアームに瞳孔線記録装置と正中線記録装置の少なくともいずれかを設けたバイトフォーク本体を、口腔内に挿入した状態で、該瞳孔線記録装置と該正中線記録装置に瞳孔線と正中線の少なくともいずれかを記録した後、該瞳孔線記録装置と該正中線記録装置のいずれかを、咬合器に設けたトランスファージグに穿設した複数の孔の内、ボンウィルの三角に準じた孔に挿入して取り付けることを特徴とする上顎歯列模型のマウント方法。
【００１８】
或いは、支持具を歯牙に取り付け、該支持具に角度調節可能に設けたミラーを口腔内に位置させて行うことを特徴とする口腔内の診断若しくは治療方法。
【００１９】
ここで、本明細書中でいう「バイトフォーク本体」とは、患者の口腔内に挿入して上顎歯列弓の圧痕を付けるものである。一般的に、馬蹄形であり、軟化したベースプレート用ワックス、モデリングコンパウンド、シリコーンのバイト材などの粘着物を上面や下面に設けて上顎や下顎の歯列弓の形状を取る。バイトフォーク本体には、その前方にアームが設けられ、通常、水平アームとサイドアームにより構成されている。バイトフォーク本体は、水平アームに取り付けられ、該水平アームの一端から直角にサイドアームが延びている。
【００２０】
バイトフォーク本体は、できるだけ矢状面に直交するように口腔内に挿入する。通常、水平アームは水平面に平行となる。また、サイドアームは前頭断やカンペル氏平面とできるだけ平行となるようにし、バイトフォーク本体の中心を患者の顔貌の正中線に合わせる。バイトフォークを正しい位置に保持させるため、下顎歯列とバイトフォーク本体下面の間にローラコットン等を入れて患者に咬んでもらうようにする。また、口腔内に挿入して前咬みに咬んでもらうことで、矢状顆路角の計測も同時に行うことができる。
【００２１】
「瞳孔線記録装置」とは、バイトフォークのアーム（サイドアーム）に取り付けることによって、バイトフォーク本体を患者の口腔内に挿入した状態で該患者の瞳孔線に合わせて固定する装置をいう。瞳孔線記録装置は、瞳孔線記録具を上下動及び左右に回動可能に設けている。一般的に瞳孔線記録装置の瞳孔線記録具を上下動させて患者の瞳孔線に合わせて記録する。この場合、該瞳孔線記録具に軸を設け、該軸を上下動させるようにするが、瞳孔線記録具が軸まわりに回転しないようにするのが好ましい。例えば、断面多角形など断面円形以外の軸を利用したり、断面円形の軸でも平面部や溝などを設けて対処することができる。瞳孔線記録具を患者の瞳孔線に合わせる場合、患者に該瞳孔線記録具の一点を凝視してもらうことでより正確に合わせることができるため、該瞳孔線記録具を目から５cm以上離した位置で調整するのが好ましい。
【００２２】
「正中線記録装置」とは、バイトフォークのアーム（サイドアーム）に取り付けることによって、バイトフォーク本体を患者の口腔内に挿入した状態で該患者の正中線に合わせて記録する装置であり、正中線記録具を回動可能に設けたものをいう。通常、顔面に糸などを貼り付けたり、マーキングすることにより、正中線を表示しておき、これに正中線記録具を合わせて記録する。正中線記録装置と瞳孔線記録装置の両者をアームに設ける場合は、前後関係は特に限定するものではない。
【００２３】
また、ほとんどの人が瞳孔線と正中線が直交していることから、瞳孔線記録具に直交して設けた縦軸を正中線記録具としてもよく、咬合器のインサイザルポールを正中線記録具としてもよい。インサイザルポールを正中線記録具とする場合、後述するアイポインツパラレルチェッカーをインサイザルポールに直交させて設ければ瞳孔線記録具にもなる。しかし、瞳孔線と正中線が直交していない場合は、咬合器に顔面の正中を一致させ、咬合器のインサイザルポールを正中線記録具とし、瞳孔線は、インサイザルポールに取り付けたアイポインツパラレルチェッカーを調整して記録すればよい。
【００２４】
正中線記録装置に記録した正中線は、上顎歯列模型の前面にマーキングして表示する。この場合、上顎歯列模型をバイトフォーク本体に設けた歯列等の型に合わせて載置した状態でマーキングする。この場合、上顎歯列模型と正中線記録具が離反しているため、マーキングをより正確に行うには、正中線記録装置をアームに沿ってバイトフォーク本体側に移動させたり、正中線印記具を用いるようにする。正中線印記具は、正中線記録具に装着するもので、スライド可能に支持した可動部を備え、該可動部を上顎歯列模型に向かって移動させ、これを基準にマーキングする。
【００２５】
上顎歯列模型を咬合器のボンウィルの三角に準じた位置にマウントさせる場合において、瞳孔線記録装置や正中線記録装置の下端部に設けた取付部を、該咬合器に取り付けたトランスファージグにセットして調整する。ボンウィルの三角とは、上顎歯列模型を咬合器のセンター（上弓フレームと下弓フレーム間の中央）に取り付けるための標準であり、左右の顆頭の上面中央の点と下顎の切歯点とを結んだ三角で、下顎三角ともいう。通常、下顎中切歯切縁の接触点または下顎残存顎堤の正中と両顆頭（通常はその中心）を結ぶ２辺と顆頭間軸によって囲まれた一辺４インチ（約１０cm）の正三角形と定義されている。これは、下顎骨の大きさを表現する基準として、また、下顎運動の解析のための計測点を結ぶ三角として重要である。
【００２６】
バイトフォーク本体をボンウィルの三角に準じた位置に調整する手段として、トランスファージグに瞳孔線記録装置や正中線記録装置をセットした後、バイトフォークのアームを移動させる他、トランスファージグの取付孔を長孔にしたり複数設け、瞳孔線記録装置や正中線記録装置のセット位置で調整してもよい。また、咬合器へのトランスファージグの取り付け位置で調整することも可能である。ボンウィルの三角は、咬合器に置き換えると咬合器のコンダイルの上面中央と咬合器の上下弓フレーム間の中点に当たる。このため、瞳孔線記録装置や正中線記録装置に中点表示部を設けてもよい。中点表示部を設けることで、トランスファージグに取り付けたとき、バイトフォーク本体の切歯点を咬合器の上下弓フレームの中点に位置させる調整を容易にすることができる。
【００２７】
「仮想咬合平面記録具」とは、患者の顔面の前方基準点と後方基準点を計測してマーキングした仮想咬合平面を記録するための装置である。この記録具をバイトフォークの両側に設けることにより、バイトフォーク本体を患者の口腔内に挿入した状態で仮想咬合平面（カンペル氏平面）を記録する。仮想咬合平面は、鼻翼下縁（前方基準点）と耳珠の上縁（後方基準点）とを結ぶ直線、即ち鼻聴道線で決定される平面であり、カンペル平面と呼ばれているが、ギジー（Ｇｙｓｉ）によると鼻翼下縁（前方基準点）と外耳道下縁（後方基準点）とを結ぶ平面の方がより咬合平面と平行である。
【００２８】
仮想咬合平面記録具としては、単に患者の顔貌の両側に位置するように固定した状態に設けてもよく、上下方向及び角度調節可能にバイトフォークに設けてもよい。さらに、仮想咬合平面記録具に後方基準点の指示具を設けることでより精度を高めて咬合器に再現させることができる。例えば、指示具として穴を穿設した板状部材を仮想咬合平面記録具にスライド可能に設ける。ヒンジボウなどで患者の後方基準点を計測、記録した後、該指示具の穴を患者の後方基準点に合わせて固定する。穴と後方基準点の合わせ方としては、目視の他、穴に棒状のものを挿入して、指示具を上下、前後に移動させ、該棒を後方基準点に一致させて固定する。このように調整した指示具を咬合器のコンダイルの中心と一致させることにより、高い精度で咬合器上に再現することができる。また、指示具として外耳道に挿入するイヤープラグとしてもよい。
【００２９】
仮想咬合平面記録具は、いわゆるフェイス・ボウ・トランスファーによって行ってもよく、本発明に係るフェイス・ボウのフェイス・ボウ本体の両側に仮想咬合平面記録具を備えた構造としてもよい。フェイス・ボウ・トランスファーによって仮想咬合平面記録具で記録した仮想咬合平面は、後述する咬合分析装置の歯列模型調整板に再現させる。
【００３０】
フェイス・ボウ本体としては、実際に後方基準点を測定して求めるヒンジボウと、平均的な位置で定めるシンプルボウに分けられる。本発明では、これら従来よりフェイス・ボウ・トランスファーに利用されているフェイス・ボウであればよい。フェイス・ボウ本体に設ける仮想咬合平面記録具としては、例えば透明板を設けこれに患者の顔面のマーキングを書き写す構造や、回動及び上下動可能に記録部材を設けこれをマーキングに合わせて固定する構造などである。
【００３１】
「切歯点−下顎頭間計測装置」とは、上顎歯列模型を咬合器のボンウィルの三角に準じた位置にマウントさせる場合において、バイトフォーク本体の側方において回動可能に設けるもので、患者の切歯点と下顎頭間中点との距離を記録する装置をいう。切歯点−下顎頭間計測装置は、バイトフォーク本体やアームに設けた取付部に取り付けて計測する。取付部の構造は特に限定するものではなく、孔を設けて差し込んだり、アーム（水平アーム）の周面に回動可能に設ければよく、バイトフォーク本体の左右いずれかに設ければよい。この切歯点−下顎頭間計測装置には目盛りを設けており、その目盛りを読んで記録する。この場合の目盛りは実測値でもよく、３〜７点位の大まかな目盛りでもよい。この目盛りと、バイトフォークのアーム（サイドアーム）に設けた対応目盛りとを対応させることで、バイトフォーク本体の切歯点を、咬合器の平均的なボンウィルの三角に準じた位置に位置させることができる。切歯点−下顎頭間計測装置は、バイトフォーク本体を口腔内に挿入して後方基準点に向けた状態で計測することから、外耳道に挿入するイヤープラグを摺動可能に設けてもよい。
【００３２】
つまり、切歯点−下顎頭間計測装置で計測した目盛りは、ボンウィルの三角における切歯点と下顎頭間中点との距離を表したもので、この値とボンウィルの三角の傾斜角（咬合平面傾斜角、又は後述するバルクウィル角）との余弦値（ｃｏｓ：図１１（ｃ）のII−IV間距離）と、バイトフォークの咬合器への取り付け位置から求めて表示したものがバイトフォークのアームに設けた対応目盛りである。切歯点−下顎頭間計測装置をバイトフォークに設けて計測した目盛りを読み取った後、該バイトフォークに瞳孔線記録装置（正中線記録装置でもよく両者でもよい）を取り付けて、患者の瞳孔線を記録する。この瞳孔線記録装置を先に読み取った目盛りの値に基づいて、バイトフォークのアームの対応目盛りに移動させて固定する。そして、上述したように瞳孔線記録装置をその中点表示部に合わせて固定する。
【００３３】
バイトフォークのアームに設けた対応目盛り及び中点表示部は、瞳孔線記録装置や正中線記録装置を取り付ける咬合器の大きさ及び該咬合器に装着するトランスファージグへの瞳孔線記録装置等の取付位置に基づいて付すものである。これにより、咬合器に取り付けたトランスファージグに瞳孔線記録装置を装着することで、バイトフォーク本体がボンウィルの三角に準じた位置にマウントされることになる。
【００３４】
「トランスファーピン」とは、フェイス・ボウ・トランスファーにおいて用いられるフェイス・ボウ本体とバイトフォークを連結させる棒状の部材をいう。このトランスファーピンは、フェイス・ボウ・トランスファーによって得られた顎関節の情報を咬合器上に再現させるため、フェイス・ボウを咬合器に取り付けるための部材でもある。本発明においては、瞳孔線記録装置や正中線記録装置を設けたバイトフォークのアームを、このトランスファーピンに取り付ける。従って、本発明フェイス・ボウを用いることで患者の瞳孔線や正中線を記録することができ、バイトフォークやフェイス・ボウ本体に設けた仮想咬合平面記録具で仮想咬合平面を記録することも可能となる。
【００３５】
「歯列模型調整板」とは、咬合分析装置に設けたもので、これを咬合器に取り付けて、患者の仮想咬合平面を再現するものをいう。歯列模型調整板は、咬合分析装置に前後左右に回動可能に支持され、上下に移動できるように設けられる。咬合分析装置は、通常咬合器の下弓に取り付け、歯列模型調整板によって上顎歯列模型の構築や診断などを行う際の基準にするが、逆に、咬合器の上弓に取り付けて下顎歯列模型の構築や診断を行うことも可能である。
【００３６】
歯列模型調整板は、例えばカメラなどの三脚に用いられている雲台のように前後左右に動かして固定する構造でもよいが、前後と左右の動きを独立させた構造でもよい。上下動については、歯列模型調整板を上下方向に移動可能に支持する他、咬合分析装置本体若しくはその一部を上下に移動させる構造としてもよい。また、左右や前後にスライドできるように支持することもでき、この場合も歯列模型調整板自体の他、咬合分析装置本体若しくはその一部をスライドさせるようにする。
【００３７】
歯列模型調整板は患者の仮想咬合平面の傾きを再現するものであるため、左右に分割して個別に前後に回動させて調整できるようにしておけば、患者の左右の仮想咬合平面の傾きをより正確に再現することができる。また、鉛直線を軸に回転できるようにしてもよく、この場合には歯列模型調整板を患者の正中線に合わせることができるなどの利点が生じる。さらに、歯列模型調整板の前後及び左右の傾きや回転位置などを数値化できるようにしておけば、咬合分析装置だけで再び再現したり、他の咬合分析装置で複数の患者のデータを再現することが可能となる。数値化する手段としては、例えば目盛りを設けたり、水準器の設置などによって行う。歯列模型調整板としては、平坦な板状体で形成する他、ウィルソンの湾曲に準じた形状や、φ４インチの球状の湾曲板としてもよい。
【００３８】
本発明において用いる咬合器としては、いわゆる解剖学的咬合器である。これには調節機構により全調節性咬合器、半調節性咬合器、非調節性咬合器に分類され、関節部の構造によってアルコン型、コンダイラー型に分けられるが、本発明ではこれらの内のいずれのタイプでもよく、限定するものではない。
【００３９】
「アイポインツパラレルチェッカー」とは、瞳孔線記録装置によって記録された患者の瞳孔線を咬合器上に再現させることによって、歯列模型の構築等に反映させるものである。このアイポインツパラレルチェッカーは、咬合分析装置に設けた歯列模型調整板に並べて設ける場合と、咬合器のインサイザルポールに設ける場合がある。前者では、歯列模型調整板の前方部に瞳孔線表示部を左右に回動可能に設けるが、上下動できるようにしてもよい。後者では、咬合器のインサイザルポールに上下動可能に取り付ける支持部に瞳孔線表示部を回動可能に設けるようにする。この場合、インサイザルポールも断面多角形にしたり平面部や溝などを設けることで、支持部が軸まわりに回転しないようにすることができる。
【００４０】
「Ｖ字形支持具」とは、口腔内の診断や治療を行う場合において、ミラーを口腔内で角度調節可能に支持する部材をいう。支持具には、ワックス、コンパウンド、シリコンなどの粘着物を設けて上顎や下顎の歯牙に取り付ける。下顎の歯牙に取り付けることにより、舌の圧排が可能となる利点が生じる。ミラーを支持具に角度調節可能に設ける手段としては、特に限定するものではないが、例えば、球状体を介して連結したり、支持具に調整軸を回動可能に設け、該調整軸にミラーを回動及びスライド可能に設ける場合である。また、Ｖ字形支持具にワックスなどの粘着物を設けて歯牙に固定する他、単なる板状の支持具などを用いてクリップなどで歯牙に挟み付けて固定することも可能である。
【発明の効果】
【００４１】
以上のように本発明に係る審美基準表示方法及びバイトフォークによれば、患者の審美基準である瞳孔線や正中線を咬合器に簡単確実に再現させることができ、無歯顎や咬合の再構築の治療を極めて効果的に行うことができる。審美性を加味させることにより、顔貌に調和して見映えがよく、違和感がなくなるなどの美的な面で効果があるのみならず、噛み合わせも向上するなど義歯や補綴物の構築に有効となる。特に、本発明ではフェイス・ボウを用いることなくバイトフォークだけで審美基準を咬合器上に再現させることが可能となる。この結果、簡単な操作で審美性情報の取得が可能となり、手間もかからないことから、咬合に関する治療や診断において審美基準の導入を広く浸透させることができるなど極めて有益な効果を有するものである。
【００４２】
本発明に係る歯牙取付用ミラー及び口腔内診断若しくは治療方法は、口腔内の診断や治療を行う場合において、ミラーを角度調節可能に歯牙に取り付けることにより、歯科医の診断や治療を容易にする効果が生じる。例えば、従来では左手でミラーを持ちながら右手で歯を削るなどの治療を行っていたが、本発明ミラーや方法により、左手が空くことになる。このため、空いた方の手で患者の頬を引っ張ったり、別のミラーを用いることができるなど、より充実した診断や治療を行うことが可能となる。
【発明を実施するための最良の形態】
【００４３】
本発明に係る審美基準表示方法及びバイトフォークは、バイトフォークに瞳孔線や正中線等の審美基準の情報を記録する記録装置を設けることにより、これらの情報の取得を簡単にすることで、審美基準という重要な要素を加味した咬合に関する治療や診断が容易に行える。また、歯牙取付用ミラーや方法では、手でミラーを持つことなく口腔内の治療や診断が可能となる。
【実施例１】
【００４４】
図１は本発明に係るバイトフォーク１の一例を示すもので、口腔内に挿入するバイトフォーク本体１１に設けたアーム１２に、瞳孔線記録装置２と正中線記録装置３を設けたものである。アーム１２は、水平アーム１２１とサイドアーム１２２より成り、該水平アーム１２１にバイトフォーク本体１１を取り外し可能に設けている。瞳孔線記録装置２と正中線記録装置３は、サイドアーム１２２の長さ方向にスライド可能に設けており、スライド調整したとき位置がずれないように周面の一部に平面部を設けている。本例では、瞳孔線記録装置２と正中線記録装置３の両者を設けた例を示しているが、いずれか一方を設けるだけでもよい。
【００４５】
瞳孔線記録装置２はほぼ水平に設けた平板状の瞳孔線記録具２１を回動可能に支持し、正中線記録装置３はほぼ垂直に設けた平板状の正中線記録具３１を回動可能に支持したものである。本例では、瞳孔線記録具２１と正中線記録具３１を、サイドアーム１２２の長さ方向に対しほぼ直角の水平方向及び垂直方向にスライド調整可能に設けている。
【００４６】
瞳孔線記録装置２と正中線記録装置３は、図２に示すようにバイトフォーク本体１１を患者の口腔に挿入した状態で、患者の瞳孔線や正中線に瞳孔線記録具２１と正中線記録具３１を合わせて記録を取る。この場合、バイトフォーク本体１１には予めワックスなどを設けておく。一般的に、瞳孔線記録具２１を患者の左右の瞳孔を結んだ線上（若しくは外眼角と内眼角を結んだ線上や両外眼角）に合わせて瞳孔線の記録を取り、正中線は予め患者の顔貌に糸などを貼り付けておき、それに正中線記録具３１を合わせて記録する。
【００４７】
瞳孔線記録装置２によって記録した患者の瞳孔線は、図３に示すように咬合器Ａにマウントした上顎歯列模型Ａ１にバイトフォーク本体１１を圧接させた状態で再現する。上顎歯列模型Ａ１はフリーハンドや咬合平面板などを用いて咬合器Ａにマウントする。本例では、咬合器ＡのインサイザルポールＡ２に取り付けたアイポインツパラレルチェッカーＡ３を、バイトフォーク１に設けた瞳孔線記録装置２の瞳孔線記録具２１に合わせ、患者の瞳孔線を咬合器Ａ上に再現させる。このアイポインツパラレルチェッカーＡ３は、咬合器ＡのインサイザルポールＡ２に上下動可能に取り付ける支持部Ａ３１と、該支持部Ａ３１に回動可能に設けた瞳孔線表示部Ａ３２とによって構成しており、インサイザルポールＡ２の一部に平面部を設け、定位置に固定できるようにしている。瞳孔線記録具２１にアイポインツパラレルチェッカーＡ３を合わせる手段としては、目視の他定規などを利用して行う。また、インサイザルポールＡ２に設けたアイポインツパラレルチェッカーＡ３に瞳孔線を再現させる場合は、咬合器Ａから上弓フレームＡ４を取り外して行ってもよい。
【００４８】
瞳孔線の再現手段としては、この他図４のように咬合分析装置４に設けたアイポインツパラレルチェッカーＡ３に転記させてもよい。この咬合分析装置４は、咬合器Ａにセットし、いわゆる咬合平面板として機能する歯列模型調整板４１を備えたもので、該歯列模型調整板４１の前方部分にアイポインツパラレルチェッカーＡ３を設けた構造である。この場合、アイポインツパラレルチェッカーＡ３は下方に位置するため、瞳孔線記録具２１を上下逆に付け替えて合わせるようにしている。図では分かりやすくするため、瞳孔線記録装置２を点線で示している。尚、本例の歯列模型調整板４１は義歯の構築に効果的なウィルソンの湾曲に準じて湾曲させている。
【００４９】
患者の顔貌から正中線記録装置３で記録した正中線は、図５のようにバイトフォーク本体１１に載置した上顎歯列模型Ａ１の前面に、正中線記録具３１に基づいてマーキング３３する。マーキングする際は、同図（ａ）のように瞳孔線記録装置２をバイトフォーク１のサイドアーム１２２に沿って鎖線で示す位置に移動させて行ってもよく、同図（ｂ）のような正中線印記具３２を利用してもよい。この正中線印記具３２は、正中線記録具３１に装着する構造のもので、これを上顎歯列模型Ａ１側に移動させてマーキング３３する。
【実施例２】
【００５０】
図６は、本発明に係るフェイス・ボウ５の一例であり、シンプルボウ本体５１両側に仮想咬合平面記録具５２を設け、瞳孔線記録装置２と正中線記録装置３を設けたバイトフォーク１のアーム１２を、フェイス・ボウ５のトランスファーピン５３に連結したものである。フェイス・ボウ５を用いた本発明に係る審美基準表示方法では、その方法を実施するに際し、従来の一般的なフェイス・ボウ・トランスファーの手順と同様に、図７（ａ）のように先ず患者の顔面に前方基準点５４をマーキングする。この場合、患者の仮想咬合平面の傾きを表す基準線５５もマーキングしておく。そして、同図（ｂ）のように本発明に係るフェイス・ボウ５をセットして、いわゆる上顎三角を決定した状態で、仮想咬合平面記録具５２を患者の顔面の両側にマーキングした仮想咬合平面の基準線５５に合わせて記録する。さらに、バイトフォーク１に設けた瞳孔線記録装置２や正中線記録装置３により、実施例１と同様に患者の瞳孔線や正中線を記録する。
【００５１】
フェイス・ボウ・トランスファーにより各情報を記録した後は、図８（ａ）に示すようにフェイス・ボウ５からトランスファーピン５３を外し、咬合器Ａに取り付けたトランスファージグＡ５にセットする。そして、バイトフォーク本体１１に合わせて上顎歯列模型Ａ１を該咬合器Ａの上弓フレームＡ４に石膏で取り付ける。この状態で、瞳孔線記録具２１で記録した瞳孔線をインサイザルポールＡ２に設けたアイポインツパラレルチェッカーＡ３の瞳孔線表示部Ａ３２に転記したり、正中線記録具３１で記録した正中線を上顎歯列模型Ａ１の前面にマーキングする。
【００５２】
シンプルボウ本体５１の両側に設けた仮想咬合平面記録具５２で記録した仮想咬合平面の傾きの再現については、同図（ｂ）に示すようにバイトフォーク１を移動させたり、或いはトランスファーピン５３からバイトフォーク本体１１を外すと共に、上顎歯列模型１２を咬合器Ａから取り外し、咬合分析装置４を咬合器Ａの下弓フレームＡ６に取り付ける。そして、該咬合器Ａにセットされているトランスファーピン５３にフェイス・ボウ５を再度取り付ける。この状態で、該フェイス・ボウ５の仮想咬合平面記録具５２で記録した仮想咬合平面の傾きを、咬合分析装置４の歯列模型調整板４１を調整して再現する。また、瞳孔線については、実施例１の図４に示したように咬合分析装置４に設けたアイポインツパラレルチェッカーＡ３に再現させてもよい。歯列模型調整板４１の調整は、仮想咬合平面記録具５２で記録した箇所で行いにくいため、仮想咬合平面記録具５２の下辺を目標にして行う。このため、本例では記録部材２３を上辺と下辺が平行な板状体で形成している。本例では、仮想咬合平面記録具５２の高さを２０mm（患者により５０mm程度まで数種用意する。）としている。仮想咬合平面記録具５２として、透明板にマーカーなどで印記して記録する構造の場合には、例えばノギスなどを利用して記録線と平行な線を引くことで対応することができる。
【実施例３】
【００５３】
図９（ａ）は、本発明に係るバイトフォーク６の一例を示すもので、バイトフォーク本体６１の両側方に仮想咬合平面記録具５２を設けたものである。このバイトフォーク６は、従来のアーム６２の水平アーム６２１から仮想咬合平面記録具５２を延出させた構造である。仮想咬合平面記録具５２としては、同図（ｂ）のように水平アーム６２１の上部に支柱６３を設け、該支柱６３に上下方向にスライド可能、且つ回動可能に設けることにより、仮想咬合平面をより正確に記録することができる。本例では、支柱６３を水平アーム６２１の下部にも設け、仮想咬合平面記録具５２を上下に付け替えられるようにしている。このため、支柱６３に平面部を設け位置決めさせている。また、同図（ｃ）のように後方基準点６４に位置させる指示具６５を仮想咬合平面記録具５２にスライド可能に設けてもよい。本例の指示具６５は、透明板に穴を穿設したもので、この穴を患者の顔貌にマーキングした後方基準点６４に合わせて固定する。
【００５４】
図９（ｃ）に示したバイトフォーク６は、図１０（ａ）のようにバイトフォーク本体６１を患者の口腔に挿入した状態で仮想咬合平面記録具５２で仮想咬合平面を記録する。そして、指示具６５の穴を患者の後方基準点６４に合わせて固定する。このようにして記録を取ったバイトフォーク６は、バイトフォーク本体６１を取り外して咬合器Ａに取り付ける。この場合、同図（ｂ）のようにトレーサーピン２２をトランスファージグＡ５の孔に挿入する際には、該トランスファージグＡ５を前後左右に調整し、指示具６５の穴と咬合器Ａのコンダイルの中心がずれないようにする。そして、図のように仮想咬合平面記録具５２を下方の支柱６３に付け替え、咬合分析装置４の歯列模型調整板４１に仮想咬合平面を再現する。
【実施例４】
【００５５】
図１１（ａ）に咬合器Ａ上のボンウィルの三角を示す。上顎歯列模型Ａ１をボンウィルの三角に基づいて咬合器Ａにマウントする方法として、先ず、上述したようにワックス等をバイトフォーク本体１１の上面と下面の切歯部にひき、これを患者の口腔内に挿入する。この場合、前述したように顔貌の正中線をバイトフォーク１のインデックス・リングに合わせ、バイトフォーク本体１１をできるだけ矢状面に直交するように挿入すると共に、サイドアーム１２２を前頭断やカンペル氏平面とできるだけ平行となるようにし、患者の上顎歯列弓と下顎の切歯点を記録する。
【００５６】
そして、このバイトフォーク１に設けた瞳孔線記録装置２で図２のように患者の瞳孔線を記録する。この場合、瞳孔線記録装置２のトレーサーピン２２をできるだけ顔貌の正中と一致するように左右にスライドさせて調整する。このようにして記録を取ったバイトフォーク１を、図１１（ｂ）（ｃ）のように咬合器ＡのトランスファージグＡ５に取り付ける。咬合器Ａは、予めインサイザルテーブルをトランスファージグＡ５に取り替えておき、インサイザルポールＡ２を０点セッティングして上弓フレームＡ４が該トランスファージグＡ５と平行となるように調整しておく。
【００５７】
トランスファージグＡ５の取付孔にトレーサーピン２２下端の取付部を挿入して取り付けることにより、トレーサーピン２２がトランスファージグＡ５に対して垂直となり、瞳孔線記録具２１は上弓フレームＡ４と平行になる。そして、図の矢印のようにスライド調整してバイトフォーク本体１１をボンウィルの三角に位置させる。正中線記録装置３をトランスファージグＡ５に取り付ける場合においては、正中線記録具３１が咬合器Ａの正中と一致することになり、瞳孔線はインサイザルポールＡ２に取り付けたアイポインツパラレルチェッカーＡ３などに記録しておけばよい。
【００５８】
バイトフォーク本体１１をボンウィルの三角に合わせるための手段として、図１２（ａ）に示すように切歯点−下顎頭間計測装置７を利用すれば、その作業を容易にすることができる。この切歯点−下顎頭間計測装置７は、水平アーム１２１の端部に設けた取付部としての孔に差し込んで使用する。バイトフォーク本体１１を患者の口腔内に挿入した状態で、同図（ｂ）のように患者の顔貌にマーキングした後方基準点６４に向ける。そして、後方基準点６４位置の目盛り７１を読み取る。本例では、後方基準点６４に位置させるスライダ７２を設けているが、これを設けずに、後方基準点６４位置の目盛り７１の数値や記号を読み取るだけでもよい。また、同図（ａ）のようにイヤープラグ７５をスライド可能に取り付けてもよい。この場合、イヤープラグ７５は位置決めだけに利用する他、該イヤープラグ７５の位置の目盛り７１を読み取るようにしてもよい。切歯点−下顎頭間計測装置７は、本例に示すバイトフォーク１だけでなく、図９に示すような各バイトフォーク６に設けて使用することも可能である。
【００５９】
切歯点−下顎頭間計測装置７で計測した計測値が図１１（ａ）（ｃ）に示したI−II間距離であり、II点が切歯点である。そして、図１３（ａ）に示すように切歯点−下顎頭間計測装置７の計測値に対応させたサイドアーム１２１に設けた対応目盛り７３に、瞳孔線記録装置２を図の矢印方向にスライドさせて合わせる。また、瞳孔線記録装置２のトレーサーピン２２には、中点表示部７４を設けており、これを該トレーサーピン２２の支持具上端に合わせるように図の矢印方向に移動させる。この中点表示部７４は図１１（ａ）（ｃ）のII−III間距離を基準に設けている。このようにして調整した後、同図（ｂ）のようにバイトフォーク１を咬合器Ａに取り付ければ、バイトフォーク本体１１をボンウィルの三角に高い精度で位置させることができる。この状態でバイトフォーク本体１１の上面に上顎歯列模型Ａ１を載置し、咬合器Ａのマウンティング・プレートに石膏で固定する。
【００６０】
また、バイトフォーク１を口腔内に挿入する際、サイドアーム１２１をカンペル氏平面と平行に挿入するため、バルクウィル角も約２６°で再現できる。このことは、上顎歯列模型Ａ１が約２６°の角度でマウントされることになる。バルクウィル角とは、顆頭の上面中央と切歯点を結ぶ仮想線が咬合平面となす角度であり、その値は２６°と報告されている。また、バルクウィル角はボンウィルの三角が矢状面で咬合平面となす角度と解釈できる。
【実施例５】
【００６１】
図１４（ａ）は、本発明に係る歯牙取付用ミラー８の一例を示すもので、Ｖ字形支持具８１に、連結具８２を介して角度調節可能にミラー８３を設けたものである。連結具８２に対して、Ｖ字形支持具８１及びミラー８３は、それぞれ軸方向にスライド可能且つ軸回りに回転可能に設けている。また、Ｖ字形支持具８１は回動可能に設けている。この歯牙取付用ミラー８は、同図（ｂ）のようにＶ字形支持具８１にワックスＷを設け、上顎の歯牙に押し付けて固定することにより、ミラー８３を口腔内の任意の位置に向けることができ、歯科医が手でミラーを持つことなく治療や診断を行うことができる。
【図面の簡単な説明】
【００６２】
【図１】本発明に係るバイトフォークの一例を示す斜視図である。（実施例１）
【図２】本発明に係るバイトフォークで患者の瞳孔線や正中線を記録する状態を示す正面図である。
【図３】本発明に係るバイトフォークで記録した瞳孔線を咬合器上に再現する一例を示す側面図である。
【図４】本発明に係るバイトフォークで記録した瞳孔線を咬合器上に再現する他の例を示す側面図である。
【図５】（ａ）（ｂ）は、本発明に係るバイトフォークで記録した正中線を上顎歯列模型にマーキングする状態を示す斜視図である。
【図６】本発明に係るフェイス・ボウの一例を示す側面図である。（実施例２）
【図７】（ａ）（ｂ）は、本発明に係るフェイス・ボウで仮想咬合平面を記録する状態を示す側面図である。
【図８】（ａ）は本発明に係るフェイス・ボウによって記録した瞳孔線や正中線を咬合器上に再現する状態を示す側面図、（ｂ）は仮想咬合平面を再現する状態を示す側面図である。
【図９】（ａ）（ｂ）（ｃ）は、それぞれ本発明に係るバイトフォークの一例を示す斜視図である。（実施例３）
【図１０】（ａ）は図９（ｃ）に示したバイトフォークで仮想咬合平面を記録する状態を示す側面図、（ｂ）はその記録を咬合器上に再現する状態を示す側面図である。
【図１１】（ａ）は咬合器上におけるボンウィルの三角を示す斜視図、（ｂ）は本発明に係るバイトフォークを咬合器にセットしてボンウィルの三角に準じた位置に調整する状態を示す斜視図、（ｃ）は（ｂ）の側面図である。（実施例４）
【図１２】（ａ）は本発明に係るバイトフォークの一例を示す斜視図、（ｂ）はその使用状態を示す側面図である。
【図１３】（ａ）は図１２（ｂ）で計測した値に基づいてバイトフォークをボンウィルの三角に準じた位置に調整する状態を示す側面図、（ｂ）は上顎歯列模型をボンウィルの三角に基づいて咬合器にマウントする状態を示す側面図である。
【図１４】（ａ）は本発明に係る歯牙取付用ミラーの一例を示す背面図、（ｂ）はその使用状態を示す斜視図である。
【符号の説明】
【００６３】
１  バイトフォーク
１１  バイトフォーク本体
１２  アーム
１２１  水平アーム
１２２  サイドアーム
２  瞳孔線記録装置
２１  瞳孔線記録具
２２  トレーサーピン
３  正中線記録装置
３１  正中線記録具
３２  正中線印記具
３３  マーキング
４  咬合分析装置
４１  歯列模型調整板
５  フェイス・ボウ
５１  シンプルボウ本体
５２  仮想咬合平面記録具
５３  トランスファーピン
５４  前方基準点
５５  基準線
６  バイトフォーク
６１  バイトフォーク本体
６２  アーム
６２１  水平アーム
６２２  サイドアーム
６３  支柱
６４  後方基準点
６５  指示具
７  切歯点−下顎頭間計測装置
７１  目盛り
７２  スライダ
７３  対応目盛り
７４  中点表示部
７５  イヤープラグ
８  歯牙取付用ミラー
８１  Ｖ字形支持具
８２  連結具
８３  ミラー
Ｗ  ワックス
Ａ  咬合器
Ａ１  上顎歯列模型
Ａ２  インサイザルポール
Ａ３  アイポインツパラレルチェッカー
Ａ３１  支持部
Ａ３２  瞳孔線表示部
Ａ４  上弓フレーム
Ａ５  トランスファージグ
Ａ６  下弓フレーム
【図１】
2005095500.tif 000003
【図２】
2005095500.tif 000004
【図３】
2005095500.tif 000005
【図４】
2005095500.tif 000006
【図５】
2005095500.tif 000007
【図６】
2005095500.tif 000008
【図７】
2005095500.tif 000009
【図８】
2005095500.tif 000010
【図９】
2005095500.tif 000011
【図１０】
2005095500.tif 000012
【図１１】
2005095500.tif 000013
【図１２】
2005095500.tif 000014
【図１３】
2005095500.tif 000015
【図１４】
2005095500.tif 000016